(57)【要約】【課題】ラインオフ機能を備えたバグ式集塵機でも、設備全体が大型化することのないバグ式集塵機を提供すること。【解決手段】含塵空気を濾過するバグフィルタ７の開口端７ａに対向して、洗浄空気供給管８に接続した洗浄用の圧縮空気噴出ノズル９を配設し、この圧縮空気噴出ノズル９から噴出される圧縮空気によってバグフィルタ７を洗浄するようにしたバグ式集塵機において、下降位置においてバグフィルタ７の開口端７ａを覆うとともに、圧縮空気噴出ノズル９から噴出される圧縮空気の通過を許容する開口部２１ａを形成した蓋部材２１と、圧縮空気噴出ノズル９と蓋部材２１との間の空間をその周囲から遮断する筒状の気流遮断部材２２と、蓋部材２１を上昇位置と下降位置との間で移動させるための移動機構３０とを備える。【選択図】図１
2008296128.tif 000002
【特許請求の範囲】
【請求項１】
含塵空気を濾過するバグフィルタの開口端に対向して、洗浄空気供給管に接続した洗浄用の圧縮空気噴出ノズルを配設し、該圧縮空気噴出ノズルから噴出される圧縮空気によってバグフィルタを洗浄するようにしたバグ式集塵機において、下降位置においてバグフィルタの開口端を覆うとともに、圧縮空気噴出ノズルから噴出される圧縮空気の通過を許容する開口部を形成した蓋部材と、前記圧縮空気噴出ノズルと蓋部材との間の空間をその周囲から遮断する筒状の気流遮断部材と、前記蓋部材を上昇位置と下降位置との間で移動させるための移動機構とを備えたことを特徴とするバグ式集塵機。
【請求項２】
含塵空気を濾過するバグフィルタの開口端に対向して、洗浄空気供給管に接続した洗浄用の圧縮空気噴出ノズルを配設し、該圧縮空気噴出ノズルから噴出される圧縮空気によってバグフィルタを洗浄するようにしたバグ式集塵機において、下降位置においてバグフィルタの開口端を覆うとともに、圧縮空気噴出ノズルから噴出される圧縮空気の通過を許容する開口部を形成し、前記圧縮空気噴出ノズルの先端に配設した蓋部材と、該蓋部材を前記圧縮空気噴出ノズルと共に上昇位置と下降位置との間で移動させるための移動機構とを備えたことを特徴とするバグ式集塵機。
【発明の詳細な説明】
【技術分野】
【０００１】
本発明は、バグ式集塵機に関し、特に、バグフィルタの洗浄機構の改良に関するものである。
【背景技術】
【０００２】
一般に家庭用ごみ等を焼却するごみ焼却炉から排出する排ガス中には、ダストと共に、ＨＣｌ、ＮＯｘ、ＳＯｘ等の有害ガスを含んでいるため、ダストの捕集に合わせてこれらの有害ガスを処理することが望まれている。
このため１つの手段として、中和剤としての消石灰をバグ式集塵機のバグフィルタに予め供給することによって、バグフィルタの表面に反応層を形成しておき、次いでごみ焼却炉から発生する含塵空気を冷却した後、これに消石灰の適量（例えば、ＨＣｌに対し２〜３倍の当量比）を連続して供給し、中和する運転方法が採られている。
そして、バグフィルタにダストが多量に付着し、通気抵抗（圧損）が所定値以上に上昇したときは、上記反応層を残存してダストを払い落とすべく洗浄条件を選定して圧縮空気をバグフィルタ内に噴出して洗浄（逆洗）を行う手段が採られている。
【０００３】
ところで、これに用いるバグ式集塵機は、例えば、図８に示すように、バグ式集塵機４０を構成する筐体２の内部を区画壁３により上下に区画し、下部を含塵空気導入室４、上部を浄化空気室５とし、含塵空気導入室４を塵埃発生源（図示省略）に接続し、浄化空気室５を、配管６を介して、吸引装置Ｆに接続するようにされている（例えば、特許文献１参照）。
上記区画壁３には多数の有底筒状のバグフィルタ７を垂下して取り付け、各バグフィルタ７は各列毎にそれぞれ洗浄空気供給用の洗浄空気供給管８を配備し、圧縮空気噴出ノズル９をバグフィルタ７の開口端に臨ませて取り付けるようにしている。
この洗浄空気供給管８は、常時は、ダイヤフラムバルブ４１によって閉鎖された状態で、圧縮空気供給管４２に接続されている。
【０００４】
これにより、常時は、吸引装置Ｆの吸引力によりダスト発生源からのダストを含んだ空気は含塵空気導入室４に導かれ、バグフィルタ７の外部から内部側に流入し濾過されて浄化空気となり浄化空気室５を通過し配管６を介して排出される。
次いでバグフィルタ７の外周面にダストが付着し、通気抵抗が所定値に到達したことを圧力測定器（図示省略）によって検知したとき又は一定時間経過後に、電磁弁ボックス４３内の電磁弁を開放することによって、気抜管４１ａを介してダイヤフラムバルブ４１を作動させ、圧縮空気供給管４２内の圧縮空気を洗浄空気供給管８に導出し、洗浄空気供給管８の各列毎に配設した圧縮空気噴出ノズル９からバグフィルタ７内に洗浄用の圧縮空気を噴出し、バグフィルタ７の外周面に付着したダストを吹き落とすようにしている。
【０００５】
ところで、このバグ式集塵機４０において、バグフィルタ７を洗浄する際に、バグフィルタ７の内部に吸引装置Ｆによる濾過気流が生じている状態で、バグフィルタ７内に圧縮空気を噴出するようにすると、濾過気流の圧力に打ち勝つための高圧の圧縮空気が必要となるだけでなく、圧縮空気の洗浄作用が濾過気流によって相殺されるため、洗浄効率が低下するという問題があった。
【０００６】
この問題点に対処するため、図９に示すように、浄化空気室５を洗浄空気供給管８の単位で区画壁１１によって区画するとともに、この区画壁１１によって区画された単位浄化空気室５ａ、５ｂ・・・５ｉと吸引装置Ｆとを連結する配管６にダンパ１２を配設することによって、区画壁１１によって区画した単位浄化室の単位でバグフィルタ７内に流れる吸引装置Ｆによって生じる濾過気流を遮断した状態でバグフィルタ７の洗浄を行うラインオフ機構１０を備えることが提案されている。
【０００７】
ところで、ラインオフ機構１０をもったバグ式集塵機４０は、浄化空気室５を洗浄空気供給管８の単位で区画する区画壁１１や各単位浄化空気室５ａ、５ｂ・・・５ｉを吸引装置Ｆと連結するための配管６が必要となり、バグ式集塵機の構造が複雑になるという問題があった。
また、この問題点を軽減するため、図１０に示すように、例えば、９本の洗浄空気供給管８を備えたバグ式集塵機４０の場合には、洗浄空気供給管８を３本単位として３室の単位浄化空気室５ａ、５ｂ、５ｃに区分することも提案されている。
しかしながら、ラインオフ機構１０によって遮断された単位浄化空気室５ａ、５ｂ、５ｃでは、含塵空気の濾過が行えないため、濾過効率が低下することとなり、遮断分の濾過面積を考慮した大型のバグ式集塵機が必要になるという問題があった。
【特許文献１】特開２００４−３５１３２３号公報
【発明の開示】
【発明が解決しようとする課題】
【０００８】
本発明は、上記従来のバグ式集塵機の有する問題点に鑑み、ラインオフ機能を備えたバグ式集塵機でも、設備全体が大型化することのないバグ式集塵機を提供することを目的とする。
【課題を解決するための手段】
【０００９】
上記目的を達成するため、本第１発明のバグ式集塵機は、含塵空気を濾過するバグフィルタの開口端に対向して、洗浄空気供給管に接続した洗浄用の圧縮空気噴出ノズルを配設し、該圧縮空気噴出ノズルから噴出される圧縮空気によってバグフィルタを洗浄するようにしたバグ式集塵機において、下降位置においてバグフィルタの開口端を覆うとともに、圧縮空気噴出ノズルから噴出される圧縮空気の通過を許容する開口部を形成した蓋部材と、前記圧縮空気噴出ノズルと蓋部材との間の空間をその周囲から遮断する筒状の気流遮断部材と、前記蓋部材を上昇位置と下降位置との間で移動させるための移動機構とを備えたことを特徴とする。
【００１０】
また、同じ目的を達成するため本第２発明のバグ式集塵機は、含塵空気を濾過するバグフィルタの開口端に対向して、洗浄空気供給管に接続した洗浄用の圧縮空気噴出ノズルを配設し、該圧縮空気噴出ノズルから噴出される圧縮空気によってバグフィルタを洗浄するようにしたバグ式集塵機において、下降位置においてバグフィルタの開口端を覆うとともに、圧縮空気噴出ノズルから噴出される圧縮空気の通過を許容する開口部を形成し、前記圧縮空気噴出ノズルの先端に配設した蓋部材と、該蓋部材を前記圧縮空気噴出ノズルと共に上昇位置と下降位置との間で移動させるための移動機構とを備えたことを特徴とする。
【発明の効果】
【００１１】
本第１発明のバグ式集塵機によれば、下降位置においてバグフィルタの開口端を覆うとともに、圧縮空気噴出ノズルから噴出される圧縮空気の通過を許容する開口部を形成した蓋部材と、前記圧縮空気噴出ノズルと蓋部材との間の空間をその周囲から遮断する筒状の気流遮断部材と、前記蓋部材を上昇位置と下降位置との間で移動させるための移動機構とを備えることにより、蓋部材でバグフィルタの開口端を覆うことによって、筒状の気流遮断部材により圧縮空気噴出ノズルと蓋部材との間の空間をその周囲から遮断（ラインオフ）し、吸引装置によって生じる濾過気流を遮断することができる。そして、このラインオフは、洗浄空気供給管単位で行うことができるので、設備全体が大型化することのないバグ式集塵機を提供することができる。
【００１２】
また、本第２発明のバグ式集塵機によれば、下降位置においてバグフィルタの開口端を覆うとともに、圧縮空気噴出ノズルから噴出される圧縮空気の通過を許容する開口部を形成し、前記圧縮空気噴出ノズルの先端に配設した蓋部材と、該蓋部材を前記圧縮空気噴出ノズルと共に上昇位置と下降位置との間で移動させるための移動機構とを備えることにより、筒状の気流遮断部材を配設することなく、蓋部材でバグフィルタの開口端を覆うことによって周囲から遮断（ラインオフ）し、吸引装置によって生じる濾過気流を遮断することができる。そして、このラインオフは、洗浄空気供給管単位で行うこともできるので、設備全体が大型化することのないバグ式集塵機を提供することができる。
【発明を実施するための最良の形態】
【００１３】
以下、本発明のバグ式集塵機の実施の形態を、図面に基づいて説明する。なお、従来装置と同様の構造については同一の符号、一連の符号を付し説明を省略する。
【実施例１】
【００１４】
図１〜図３に、本発明のバグ式集塵機の第１実施例を示す。
【００１５】
このバグ式集塵機１は、従来のバグ式集塵機と同様、筐体２の内部を区画壁３により上下に区画し、下部を含塵空気導入室４、上部を浄化空気室５とし、含塵空気導入室４は塵埃発生源（図示省略）に接続し、浄化空気室５は、配管６を介して、吸引装置Ｆに接続するようにしている。
区画壁３には多数の有底筒状のバグフィルタ７を垂下して取り付け、各バグフィルタ７は、各列毎にそれぞれ洗浄空気供給用の洗浄空気供給管８を配設するとともに、洗浄空気供給管８には、それぞれのバグフィルタ７の開口端７ａに対向して、圧縮空気噴出ノズル９を取り付けるようにしている。
【００１６】
そして、このバグ式集塵機１は、下降位置においてバグフィルタ７の開口端７ａを覆うとともに、圧縮空気噴出ノズル９から噴出される圧縮空気の通過を許容する開口部２１ａを形成した蓋部材２１と、圧縮空気噴出ノズル９と蓋部材２１との間の空間をその周囲から遮断する筒状の気流遮断部材２２と、蓋部材２１を上昇位置と下降位置との間で移動させるための移動機構３０とを備えることにより、ラインオフ機構１０を構成するようにしている。
【００１７】
蓋部材２１は、図２〜図３に示すように、バグフィルタ７の開口端７ａの開口面積よりも大きな板状（円盤状）の部材からなり、その中央付近にバグフィルタ７の開口端７ａを閉鎖した状態で、圧縮空気噴出ノズル９から噴出される圧縮空気をバグフィルタ７内に導入する際の流路となる開口部２１ａを形成するようにしている。
【００１８】
気流遮断部材２２は、圧縮空気噴出ノズル９と蓋部材２１との間の空間をその周囲から遮断するためのもので、本実施例においては、上端を圧縮空気噴出ノズル９を覆うようにして洗浄空気供給管８に取り付けるとともに、下端を蓋部材２１の上面に取り付けるようにしている。
この気流遮断部材２２には、より具体的には、伸縮機能（スプリング機能）を有する蛇腹構造の円筒部材を使用するようにしている。
そして、この気流遮断部材２２は、待機時（含塵空気の濾過を行っているとき）には、縮んだ状態となってバグフィルタ７の開口端７ａから離間した上昇位置で蓋部材２１に接続され、一方、洗浄時には、伸びた状態となってバグフィルタ７の開口端７ａを覆う下降位置で蓋部材２１に接続されるようにしている。
【００１９】
移動機構３０は、蓋部材２１を上昇位置（待機時）と下降位置（洗浄時）との間で移動させるためのもので、図２に示すように、リンク３１と連動杆３２とからなるリンク機構によって構成するようにしている。
【００２０】
この移動機構３０は、リンク３１の支軸３１ａを洗浄空気供給管８から延設した取付部８ａに回動自在に取り付けるとともに、リンク３１の作用点となる一端に蓋部材２１を押圧するための押圧部材３１ｃを取り付け、力点となる他端３１ｂに連動杆３２を連結するようにしている。
【００２１】
連動杆３２は、洗浄空気供給管８毎に１つ配設し、１列の洗浄空気供給管８に対向して配設される各バグフィルタ７に対して取り付けた蓋部材２１のすべてを作動するようにしている。
【００２２】
また、気流遮断部材２２による伸縮力が十分でない場合や、気流遮断部材２２として伸縮機能（スプリング機能）を有する蛇腹構造でない、例えば、布製の部材を用いる場合でも、図２に示すように、押圧部材３１ｃの中心軸を延設して、蓋部材２１の上面に配設したガイド部材３３の長穴に、延設した中心軸を嵌めることにより、蓋部材２１を持ち上げる際のガイドとなるようすることもできる。
また、ガイド部材３３に代えて、バネ等からなる弾性部材（図示省略）を洗浄空気供給管８と蓋部材２１との間に付設するようにしてもよい。
【００２３】
また、移動機構３０の配設位置は、蓋部材２１を上昇位置と下降位置との間で円滑に移動させることができるように、蓋部材２１に対して対称となる位置に２つ配設する等、適宜位置に、適宜個数配設することができる。
【００２４】
このバグ式集塵機１は、バグフィルタ７の洗浄に際しては、図３に示すように、連動杆３２を図例左側に移動し、リンク機構を作動させて蓋部材２１を下方に移動させる。
これによって、バグフィルタ７の開口端７ａは、蓋部材２１によって閉鎖され、バグフィルタ７内に流れる吸引装置Ｆによって生じる濾過気流を遮断する。
次いで、従来例と同様に、電磁弁ボックス４３内の電磁弁を開放することによって気抜管４１ａを介し、ダイヤフラムバルブ４１を作動させ、圧縮空気供給管４２内の圧縮空気を洗浄空気供給管８に導出し、洗浄空気供給管８の各列毎に配設した圧縮空気噴出ノズル９から洗浄用の圧縮空気を噴出し、バグフィルタ７の外周面に付着したダストを吹き落とすようにする。
【００２５】
図４に、移動機構３０の第１変形例を示す。
【００２６】
この移動機構３０は、リンク機構に代えて、板部材３４を利用して、連動杆３２の移動によって蓋部材２１を上昇位置と下降位置との間で移動させるようにしている。
【００２７】
本第１変形例のその他の構成及び作用は、上記第１実施例と同様である。
【００２８】
図５に、移動機構３０の第２変形例を示す。
【００２９】
この移動機構３０は、蓋部材２１に配設した取付部２１ｃに押圧杆３５を連結し、押圧杆３５をシリンダ等からなる駆動機構３６によって操作することによって、蓋部材２１を上昇位置と下降位置との間で移動させるようにしている。
【００３０】
駆動機構３６は、洗浄空気供給管８毎に１つ配設し、１列の洗浄空気供給管８に対向して配設される各バグフィルタ７に対して取り付けた蓋部材２１のすべてを、押圧杆３５を介して作動するようにしている。
【００３１】
本第２変形例のその他の構成及び作用は、上記第１実施例と同様である。
【実施例２】
【００３２】
図６〜図７に、本発明のバグ式集塵機の第２実施例を示す。
【００３３】
このバグ式集塵機１は、第１実施例と同様、筐体２の内部を区画壁３により上下に区画し、下部を含塵空気導入室４、上部を浄化空気室５とし、含塵空気導入室４は塵埃発生源（図示省略）に接続し、浄化空気室５は、配管６を介して、吸引装置Ｆに接続するようにしている。
区画壁３には多数の有底筒状のバグフィルタ７を垂下して取り付け、各バグフィルタ７は、各列毎にそれぞれ洗浄空気供給管８を配設するとともに、洗浄空気供給管８には、それぞれのバグフィルタ７の開口端７ａに対向して、圧縮空気噴出ノズル９を取り付けるようにしている。
【００３４】
そして、このバグ式集塵機１は、下降位置においてバグフィルタ７の開口端７ａを覆うとともに、圧縮空気噴出ノズル９から噴出される圧縮空気の通過を許容する開口部２１ａを形成し、圧縮空気噴出ノズル９の先端に配設した蓋部材２１と、この蓋部材２１を圧縮空気噴出ノズル９と共に上昇位置と下降位置との間で移動させるための移動機構３０とを備えることにより、ラインオフ機構１０を構成するようにしている。
【００３５】
蓋部材２１は、図７に示すように、圧縮空気噴出ノズル９の先端に直接配設し、バグフィルタ７の開口端７ａの開口面積よりも大きな板状（円盤状）の部材からなり、その中央付近にバグフィルタ７の開口端７ａを閉鎖した状態で、圧縮空気噴出ノズル９から噴出される圧縮空気をバグフィルタ７内に導入する際の流路となる開口部２１ａを形成するようにしている。
【００３６】
圧縮空気噴出ノズル９の先端に配設した蓋部材２１を上下方向へ移動させるための移動機構３０は、洗浄空気供給管８全体又は圧縮空気噴出ノズル９を上下方向に移動させることができるものであれば、特にその構成は限定されないが、本実施例においては、図６に示すように、洗浄空気供給管８の基部にフレキシブル配管８ｂを配設して洗浄空気供給管８全体を可動に構成するとともに、洗浄空気供給管８全体をシリンダ等からなる駆動機構３７によって上下方向に移動できるようにしている。
なお、洗浄空気供給管８全体ではなく、圧縮空気噴出ノズル９を単独で上下方向に移動させる場合には、圧縮空気噴出ノズル９の一部にフレキシブル配管を配設したり、圧縮空気噴出ノズル９を入れ子式（テレスコピック）構造として、圧縮空気噴出ノズル９自体を伸縮可能に構成するようにする。
【００３７】
このように、洗浄空気供給管８全体を移動機構３０によって、上下方向に移動可能に構成し、バグフィルタ７の洗浄に際しては、洗浄空気供給管８全体を下方に移動させてバグフィルタ７の開口端７ａを圧縮空気噴出ノズル９に直接配設した蓋部材２１の下面で閉鎖するようにしている。
【００３８】
本第２実施例のその他の構成及び作用は、上記第１実施例と同様である。
【００３９】
以上、本発明のバグ式集塵機について、複数の実施例に基づいて説明したが、本発明は上記実施例に記載した構成に限定されるものではなく、その趣旨を逸脱しない範囲において適宜その構成を変更することができるものである。
【産業上の利用可能性】
【００４０】
本発明のバグ式集塵機は、設備全体を大型化することなく、ラインオフ機能を備えることができるという特性を有していることから、小型のバグ式集塵機で、かつ、処理風量が多い場合でも、十分な洗浄効果が必要となるバグ式集塵機に好適に用いることができる。
【図面の簡単な説明】
【００４１】
【図１】本発明のバグ式集塵機の第１実施例を示す一部断面の正面図である。
【図２】移動機構の詳細を示し、（ａ）は図１におけるＸ−Ｘ断面図、（ｂ）は（ａ）におけるＹ−Ｙ断面図である。
【図３】移動機構の配設位置を変えた例を示し、（ａ）は遮断前の正面拡大図、（ｂ）は遮断時の正面拡大図である。
【図４】移動機構の第１変形例を示す、一部断面の正面図である。
【図５】移動機構の第２変形例を示し、（ａ）は図１におけるＸ−Ｘ断面図、（ｂ）は（ａ）におけるＺ−Ｚ断面図である。
【図６】本発明のバグ式集塵機の第２実施例を示す一部断面の正面図である。
【図７】図６におけるＶ部の詳細図で、（ａ）は遮断前の正面拡大図、（ｂ）は遮断時の正面拡大図である。
【図８】従来のバグ式集塵機の一部断面の正面図である。
【図９】図８におけるＷ−Ｗ断面図である。
【図１０】図８におけるＷ−Ｗ断面図の別の例である。
【符号の説明】
【００４２】
１    バグ式集塵機
７    バグフィルタ
８    洗浄空気供給管
９    圧縮空気噴出ノズル
２１  蓋部材
２１ａ  開口部
２２  気流遮断部材
３０  移動機構
【図１】
2008296128.tif 000003
【図２】
2008296128.tif 000004
【図３】
2008296128.tif 000005
【図４】
2008296128.tif 000006
【図５】
2008296128.tif 000007
【図６】
2008296128.tif 000008
【図７】
2008296128.tif 000009
【図８】
2008296128.tif 000010
【図９】
2008296128.tif 000011
【図１０】
2008296128.tif 000012